(57)【要約】      （修正有）【課題】映像表示装置において、視察者の位置に依存せずに、別の視察位置で視えるように表示されている映像を視ることができるようにする。【解決手段】テレビジョン受像機は、映像表示部４を備える。映像表示部は、液晶パネル４１と、垂直レンチキュラーシート４２とを備える。テレビジョン受像機は、映像表示部により、視察位置７０１〜７０９によって異なる映像が視えるように、映像を表示する。そして、テレビジョン受像機は、ユーザによりリモコンの左カーソルキーが押下操作されると、各視察位置７０１〜７０９で視えるように表示している映像を、各々、右側に隣接する視察位置で視えるように、映像の表示を切換える。また、テレビジョン受像機は、ユーザによりリモコンの右カーソルキーが押下操作されると、各視察位置７０１〜７０９で視えるように表示している映像を、各々、左側に隣接する視察位置で視えるように、映像の表示を切換える。【選択図】図２
2012189961.tif 000002
【特許請求の範囲】
【請求項１】
映像を視る視察位置によって異なる映像が視えるように映像を表示する映像表示装置において、
ある視察位置で視えるように表示している映像を別の視察位置で視えるように、映像の表示を切換える表示切換手段を備えることを特徴とする映像表示装置。
【請求項２】
本装置の動作を指示するためにユーザにより操作される操作手段をさらに備え、
前記表示切換手段は、ユーザによる前記操作手段の操作に基いて、ある視察位置で視えるように表示している映像を別の視察位置で視えるように、映像の表示を切換えることを特徴とする請求項１に記載の映像表示装置。
【請求項３】
前記表示切換手段は、ユーザによる前記操作手段の操作に基いて、各視察位置で視えるように表示している映像を、各々、隣接する視察位置で視えるように、映像の表示を切換えることを特徴とする請求項２に記載の映像表示装置。
【発明の詳細な説明】
【技術分野】
【０００１】
本発明は、映像を視る視察位置によって異なる映像が視えるように映像を表示する映像表示装置に関するものである。
【背景技術】
【０００２】
従来から、映像表示装置において、インテグラルイメージング方式と呼ばれる方式で映像を表示することにより、映像を立体的に視せるようにしたものが知られている（例えば特許文献１乃至特許文献３参照）。インテグラルイメージング方式とは、映像を視る視察位置によって異なる映像が視えるように、映像を表示する方式である。
【０００３】
このインテグラルイメージング方式による映像表示では、各視察位置において、映像により表現している物や空間が異なる角度で視えるように、映像により表現している物や空間を表示することができる。このような映像表示を行うことにより、映像により表現されている物や空間が各視察位置によって異なる角度で視え、映像により表現されている物や空間が立体的に存在しているかのように視える。すなわち、視察者の左目と右目が異なる視察位置に存在することにより、映像により表現されている物や空間が左目と右目で異なる角度で視え、実際の立体物や立体空間を視ているときのように、映像により表現されている物や空間が奥行きのあるように視える。また、視察者が別の視察位置に移動することにより、実際の立体物や立体空間を回り込んで視たときのように、映像により表現されている物や空間が異なる角度で視える。
【先行技術文献】
【特許文献】
【０００４】
【特許文献１】特開２００７−９４０２２号公報
【特許文献２】特開２０１０−１３６３００号公報
【特許文献３】特開２００７−８１５６２号公報
【発明の概要】
【発明が解決しようとする課題】
【０００５】
ところで、上述した従来の映像表示装置においては、別の視察位置で視えるように表示されている映像（映像により表現されている物や空間が異なる角度で視えるように表示されている映像）を視るためには、視察者（ユーザ）が別の視察位置に移動しなければならない。
【０００６】
本発明は、上記課題を解決するためになされたものであり、視察者の位置に依存せずに、別の視察位置で視えるように表示されている映像を視ることができる映像表示装置を提供することを目的とする。
【課題を解決するための手段】
【０００７】
上記目的を達成するために請求項１の発明は、映像を視る視察位置によって異なる映像が視えるように映像を表示する映像表示装置において、ある視察位置で視えるように表示している映像を別の視察位置で視えるように、映像の表示を切換える表示切換手段を備えるものである。
【０００８】
請求項２の発明は、請求項１に記載の映像表示装置において、本装置の動作を指示するためにユーザにより操作される操作手段をさらに備え、表示切換手段は、ユーザによる操作手段の操作に基いて、ある視察位置で視えるように表示している映像を別の視察位置で視えるように、映像の表示を切換えるものである。
【０００９】
請求項３の発明は、請求項２に記載の映像表示装置において、表示切換手段は、ユーザによる操作手段の操作に基いて、各視察位置で視えるように表示している映像を、各々、隣接する視察位置で視えるように、映像の表示を切換えるものである。
【発明の効果】
【００１０】
請求項１乃至請求項３の発明によれば、表示切換手段によって、ある視察位置で視えるように表示されている映像が別の視察位置で視えるように、映像の表示が切換えられる。これにより、視察者（ユーザ）は、移動することなく、どの視察位置に居ても、別の視察位置で視えるように表示されている映像を視ることができる。すなわち、視察者の位置に依存せずに、別の視察位置で視えるように表示されている映像を視ることができる。
【図面の簡単な説明】
【００１１】
【図１】本発明の一実施形態に係るテレビジョン受像機の概略構成を示す電気的ブロック構成図。
【図２】（ａ）（ｂ）は同テレビジョン受像機の映像表示部の構成を示す。
【図３】同テレビジョン受像機の映像の表示の切換え動作を示すフローチャート。
【図４】（ａ）（ｂ）（ｃ）は同テレビジョン受像機の映像表示部で表示される映像の表示例を示す図。
【発明を実施するための形態】
【００１２】
以下、本発明を具体化した実施形態による映像表示装置について図面を参照して説明する。図１は、本実施形態による映像表示装置であるテレビジョン受像機１の構成を示す。テレビジョン受像機１は、テレビジョン放送局から放送されるテレビジョン信号を受信して、その受信したテレビジョン信号による映像を表示すると共に、その受信したテレビジョン信号による音声を出力する装置である。このテレビジョン受像機１は、映像を視る視察位置によって異なる映像が視えるように映像を表示する機能を備えている。
【００１３】
テレビジョン受像機１は、チューナ２と、映像処理部３と、映像表示部４と、音声処理部５と、音声出力部６と、リモコン７と、リモコン受信部８と、テレビジョン受像機１の動作を制御する制御部９等を備える。
【００１４】
チューナ２は、制御部９による制御のもと、テレビジョン放送局から放送されるテレビジョン信号を受信し、そのテレビジョン信号から、そのテレビジョン信号に含まれている映像信号（テレビジョン信号に基く映像の映像信号）及び音声信号（テレビジョン信号に基く音声の音声信号）を分離、抽出する。
【００１５】
映像処理部３は、制御部９による制御のもと、チューナ２により分離、抽出された映像信号を処理して、映像表示部４で映像を表示するための映像信号を生成し、その生成した映像信号を映像表示部４に供給する。映像表示部４は、映像処理部３から供給された映像信号による映像を表示する。
【００１６】
音声処理部５は、制御部９による制御のもと、チューナ２により分離、抽出された音声信号を処理して、音声出力部６で音声を出力するための音声信号を生成し、その生成した音声信号を音声出力部６に供給する。音声出力部６は、音声処理部５から供給された音声信号による音声を出力する。
【００１７】
リモコン７は、テレビジョン受像機１の各種動作を指示するためにユーザに操作され、その操作内容を示す操作信号を送信する。リモコン受信部８は、リモコン７から送信される操作信号を受信して、リモコン７の操作内容を示すリモコン受信信号を出力する。リモコン７によって、操作手段が構成されている。
【００１８】
制御部９は、リモコン受信部８から出力されるリモコン受信信号に基いて、ユーザによるリモコン７の操作内容を判断し、ユーザによるリモコン７の操作に基いて、テレビジョン受像機１の各種動作を制御する。制御部９は、テレビジョン受像機１の動作を制御するためのプログラムや各種データを記憶しており、それらプログラムや各種データに基いて、テレビジョン受像機１の各種動作を制御する。
【００１９】
図２（ａ）（ｂ）は、映像表示部４の構成を示す。映像表示部４は、インテグラルイメージング方式により映像を表示するように構成されたものであり、液晶パネル４１と、垂直レンチキュラーシート４２とを備えている。
【００２０】
液晶パネル４１は、縦横（ｍ行×ｎ列）に配列された多数の画素群５０ｉｊ（ｉ＝１、２、・・・、ｍ、ｊ＝１、２、・・・、ｎ）を備えている（図では、簡単のために、画素群５０１１、５０１２、５０２１、５０２２のみを図示している）。各画素群５０ｉｊは、縦横（３行×９列）に配列された複数の画素５１ｉｊ−ｕｖ（ｕ＝Ｒ、Ｇ、Ｂ、ｖ＝１、２、・・・、９）によって構成されている。各画素５１ｉｊ−Ｒｖは、赤色の光を発光する画素であり、各画素５１ｉｊ−Ｇｖは、緑色の光を発光する画素であり、各画素５１ｉｊ−Ｂｖは、青色の光を発光する画素である。
【００２１】
垂直レンチキュラーシート４２は、横に配列された多数の光制御素子６０ｊを備えている（図では、簡単のために、光制御素子６０１、６０２のみを図示している）。各光制御素子６０ｊ（ｊ列目（横にｊ番目）の光制御素子）は、複数の画素群５０ｉｊ（ｊ列目（横にｊ番目）において縦に配列された複数の画素群）と重なっている。すなわち、光制御素子６０１は、画素群５０１１、画素群５０２１、・・・、画素群５０ｍ１と重なっており、光制御素子６０２は、画素群５０１２、画素群５０２２、・・・、画素群５０ｍ２と重なっており、・・・、光制御素子６０ｎは、画素群５０１ｎ、画素群５０２ｎ、・・・、画素群５０ｍｎと重なっている。
【００２２】
各光制御素子６０ｊは、各画素群５０ｉｊの画素５１ｉｊ−ｕｖからの光を視察位置７０ｖに放射する。すなわち、各光制御素子６０ｊは、各画素５１ｉｊ−ｕ１からの光を視察位置７０１に放射し、各画素５１ｉｊ−ｕ２からの光を視察位置７０２に放射し、・・・、各画素５１ｉｊ−ｕ９からの光を視察位置７０９に放射する。
【００２３】
つまり、光制御素子６０１は、画素５１１１−Ｒ１、５１１１−Ｇ１、５１１１−Ｂ１、５１２１−Ｒ１、５１２１−Ｇ１、５１２１−Ｂ１、・・・、５１ｍ１−Ｒ１、５１ｍ１−Ｇ１、５１ｍ１−Ｂ１からの光を視察位置７０１に放射し、画素５１１１−Ｒ２、５１１１−Ｇ２、５１１１−Ｂ２、５１２１−Ｒ２、５１２１−Ｇ２、５１２１−Ｂ２、・・・、５１ｍ１−Ｒ２、５１ｍ１−Ｇ２、５１ｍ１−Ｂ２からの光を視察位置７０２に放射し、・・・、画素５１１１−Ｒ９、５１１１−Ｇ９、５１１１−Ｂ９、５１２１−Ｒ９、５１２１−Ｇ９、５１２１−Ｂ９、・・・、５１ｍ１−Ｒ９、５１ｍ１−Ｇ９、５１ｍ１−Ｂ９からの光を視察位置７０９に放射する。
【００２４】
同様に、光制御素子６０２は、画素５１ｉ２−ｕ１からの光を視察位置７０１に放射し、画素５１ｉ２−ｕ２からの光を視察位置７０２に放射し、・・・画素５１ｉ２−ｕ９からの光を視察位置７０９に放射し、・・・、光制御素子６０ｎは、画素５１ｉｎ−ｕ１からの光を視察位置７０１に放射し、画素５１ｉｎ−ｕ２からの光を視察位置７０２に放射し、・・・画素５１ｉｎ−ｕ９からの光を視察位置７０９に放射する。なお、視察位置７０ｖは、映像表示部４の位置を基準として定まる所定の拡がりのある領域であり、視察者（ユーザ）が映像表示部４を視る角度に対応している。
【００２５】
このような映像表示部４の構成により、各視察位置７０ｖには、各画素群５０ｉｊの画素５１ｉｊ−ｕｖからの光が放射される。すなわち、視察位置７０１には、各画素群５０ｉｊの画素５１ｉｊ−ｕ１からの光が放射され、視察位置７０２には、各画素群５０ｉｊの画素５１ｉｊ−ｕ２からの光が放射され、・・・、視察位置７０９には、各画素群５０ｉｊの画素５１ｉｊ−ｕ９からの光が放射される。
【００２６】
これにより、各視察位置７０ｖでは、各画素群５０ｉｊの画素５１ｉｊ−ｕｖによる映像８０ｖが視られる（図２（ａ）参照）。すなわち、視察位置７０１では、各画素群５０ｉｊの画素５１ｉｊ−ｕ１による映像８０１が視られ、視察位置７０２では、各画素群５０ｉｊの画素５１ｉｊ−ｕ２による映像８０２が視られ、・・・、視察位置７０９では、各画素群５０ｉｊの画素５１ｉｊ−ｕ９による映像８０９が視られる。従って、例えば、視察位置７０５に居る視察者（ユーザ）９０Ａには、各画素群５０ｉｊの画素５１ｉｊ−ｕ５による映像８０５が視え、視察位置７０１に居る視察者９０Ｂには、各画素群５０ｉｊの画素５１ｉｊ−ｕ１による映像８０１が視える。
【００２７】
また、各視察位置７０ｖにおいて、映像により表現している物や空間が異なる角度で視えるように、映像により表現している物や空間が表示されている場合（すなわち、各画素群５０ｉｊの画素５１ｉｊ−ｕｖによる映像８０ｖが、物や空間が異なる角度で視えるように表現した映像である場合）には、映像により表現されている物や空間が各視察位置７０ｖによって異なる角度で視え、映像により表現されている物や空間が立体的に存在しているかのように視える。すなわち、視察者の左目と右目が異なる視察位置に存在すれば、映像により表現されている物や空間が左目と右目で異なる角度で視え、実際の立体物や立体空間を視ているときのように、映像により表現されている物や空間が奥行きのあるように視える。また、視察者が別の視察位置に移動することにより、実際の立体物や立体空間を回り込んで視たときのように、映像により表現されている物や空間が異なる角度で視える。
【００２８】
テレビジョン受像機１は、このような構成の映像表示部４によって映像を表示することにより、映像を視る視察位置７０ｖによって（映像表示部４を視る角度によって）異なる映像が視えるように、映像を表示する。このような映像の表示方法は、インテグラルイメージング方式と呼ばれる。
【００２９】
また、このテレビジョン受像機１は、ある視察位置７０ｖで視えるように表示している映像８０ｖを別の視察位置７０ｗ（ｗ≠ｖ）で視えるように、映像の表示を切換える機能を有している。すなわち、テレビジョン受像機１は、ユーザによるリモコン７の操作に基いて、ある視察位置７０ｖで視えるように表示している映像８０ｖを別の視察位置７０ｗで視えるように、映像の表示を切換える。
【００３０】
例えば、テレビジョン受像機１は、各視察位置７０ｖで視えるように表示していた映像８０ｖを、各々、隣接する視察位置７０ｖ＋１で視えるように、映像の表示を切換える（図２（ｂ）参照）。このように映像の表示を切換えることにより、各視察位置７０ｖでは、それまで視えていた映像８０ｖに換って、隣接する視察位置７０ｖ−１でそれまで視えていた映像８０ｖ−１が視えるようになる。すなわち、視察位置７０１では、それまで視えていた映像８０１に換って、映像８０１’（映像８０１’は、いずれの視察位置でも視えていなかった映像）が視えるようになり、視察位置７０２では、それまで視えていた映像８０２に換って、隣接する視察位置７０１でそれまで視えていた映像８０１が視えるようになり、・・・、視察位置７０９では、それまで視えていた映像８０９に換って、隣接する視察位置７０８でそれまで視えていた映像８０８が視えるようになる。従って、例えば、視察位置７０５に居る視察者（ユーザ）９０Ａには、それまで視えていた映像８０５に換って、映像８０４が視えるようになり、視察位置７０１に居る視察者９０Ｂには、それまで視えていた映像８０１に換って、映像８０１’が視えるようになる。
【００３１】
テレビジョン放送局からは、インテグラルイメージング方式による映像表示に対応した映像信号、すなわち、各視察位置７０ｖで視えるように表示する複数種類の映像（例えば、各視察位置７０ｖにおいて、映像により表現する物や空間が異なる角度で視えるような映像であって、複数の異なる方向から撮影した映像）の映像信号を含んだテレビジョン信号が放送される。
【００３２】
テレビジョン受像機１において、映像処理部３は、制御部９による制御のもと、チューナ２によりテレビジョン信号から分離、抽出したインテグラルイメージング方式による映像表示に対応した映像信号（複数種類の映像の映像信号）を処理して、映像表示部４で映像を表示するための映像信号（複数種類の映像が各視察位置７０ｖで視えるように映像を表示する映像信号）を生成し、その生成した映像信号を映像表示部４に供給する。すなわち、映像処理部３は、複数種類の映像のうちのある映像が画素５１ｉｊ−ｕ１によって表示され、別の映像が画素５１ｉｊ−ｕ２によって表示され、・・・、さらに別の映像が画素５１ｉｊ−ｕ９によって表示されるように映像を表示する映像信号を生成し、その生成した映像信号を映像表示部４に供給する。これにより、複数種類の映像のうちのある映像が画素５１ｉｊ−ｕ１によって表示され、別の映像が画素５１ｉｊ−ｕ２によって表示され、・・・、さらに別の映像が画素５１ｉｊ−ｕ９によって表示され、各視察位置７０ｖで複数種類の映像が視えるように、映像が表示される。
【００３３】
例えば、インテグラルイメージング方式による映像表示に対応した映像信号（テレビジョン信号に含まれている映像信号）による複数種類の映像が１９種類あり、これら１９種類の映像を順に第１映像、第２映像、・・・、第１８映像、第１９映像とする。
【００３４】
映像処理部３は、各視察位置７０ｖで第１映像から第１９映像のうちの第ｋ映像（ｋ＝１、２、・・・、１１のいずれかであって、例えばｋ＝６）から第ｋ＋８映像が視える（視察位置７０１で第ｋ映像が視え、視察位置７０２で第ｋ＋１映像が視え、・・・、視察位置７０９で第ｋ＋８映像が視える）ように映像を表示する映像信号を生成する。すなわち、画素５１ｉｊ−ｕ１によって第ｋ映像が表示され、画素５１ｉｊ−ｕ２によって第ｋ＋１映像が表示され、・・・、画素５１ｉｊ−ｕ９によって第ｋ＋８映像が表示される映像信号を生成する。そして、その生成した映像信号を映像表示部４に供給する。これにより、画素５１ｉｊ−ｕ１によって第ｋ映像が表示され、画素５１ｉｊ−ｕ２によって第ｋ＋１映像が表示され、・・・、画素５１ｉｊ−ｕ９によって第ｋ＋８映像が表示され、各視察位置７０ｖで第ｋ映像から第ｋ＋８映像が視えるように、映像が表示される。
【００３５】
また、映像処理部３は、制御部９から表示の切換えの指令を受けた場合には、その指令に応じて、視察位置７０ｖで視えるように表示している映像が別の視察位置７０ｗ（ｗ≠ｖ）で視えるように映像を表示する映像信号を生成し、その映像信号を映像表示部４に供給する。すなわち、映像処理部３は、画素５１ｉｊ−ｕｖによって表示していた映像が別の画素５１ｉｊ−ｕｗ（ｗ≠ｖ）によって表示されるように映像を表示する映像信号を生成し、その映像信号を映像表示部４に供給する。これにより、画素５１ｉｊ−ｕｖによって表示していた映像が別の画素５１ｉｊ−ｕｗ（ｗ≠ｖ）によって表示され、各視察位置７０ｖで視えるように表示していた映像が別の視察位置７０ｗで視えるように、映像が表示される（映像の表示が切換えられる）。
【００３６】
例えば、映像処理部３は、制御部９から、各視察位置７０ｖで視えるように表示していた映像を、各々、左側に隣接する視察位置７０ｖ＋１で視えるように、映像の表示を切換える指令を受けたとする。このとき、それまで各視察位置７０ｖで第ｋ映像から第ｋ＋８映像が視えるように映像が表示されていたとする。すなわち、それまで画素５１ｉｊ−ｕ１によって第ｋ映像が表示され、画素５１ｉｊ−ｕ２によって第ｋ＋１映像が表示され、・・・、画素５１ｉｊ−ｕ９によって第ｋ＋８映像が表示されていたとする。
【００３７】
この場合、映像処理部３は、各視察位置７０ｖで第ｋ−１映像から第ｋ＋７映像が視える（視察位置７０１で第ｋ−１映像が視え、視察位置７０２で第ｋ映像が視え、・・・、視察位置７０９で第ｋ＋７映像が視える）ように映像を表示する映像信号を生成する。すなわち、画素５１ｉｊ−ｕ１によって第ｋ−１映像が表示され、画素５１ｉｊ−ｕ２によって第ｋ映像が表示され、・・・、画素５１ｉｊ−ｕ９によって第ｋ＋７映像が表示される映像信号を生成する。そして、その生成した映像信号を映像表示部４に供給する。これにより、画素５１ｉｊ−ｕ１によって第ｋ−１映像が表示され、画素５１ｉｊ−ｕ２によって第ｋ映像が表示され、・・・、画素５１ｉｊ−ｕ９によって第ｋ＋７映像が表示され、各視察位置７０ｖで視えるように表示していた映像が、各々、左側に隣接する視察位置７０ｖ＋１で視えるように、映像が表示される（映像の表示が切換えられる）。
【００３８】
また、例えば、映像処理部３は、制御部９から、各視察位置７０ｖで視えるように表示していた映像を、各々、右側に隣接する視察位置７０ｖ−１で視えるように、映像の表示を切換える指令を受けたとする。このとき、それまで各視察位置７０ｖで第ｋ映像から第ｋ＋８映像が視えるように映像を表示していたとする。
【００３９】
この場合、映像処理部３は、各視察位置７０ｖで第ｋ＋１映像から第ｋ＋９映像が視える（視察位置７０１で第ｋ＋１映像が視え、視察位置７０２で第ｋ＋２映像が視え、・・・、視察位置７０９で第ｋ＋９映像が視える）ように映像を表示する映像信号を生成する。すなわち、画素５１ｉｊ−ｕ１によって第ｋ＋１映像が表示され、画素５１ｉｊ−ｕ２によって第ｋ＋２映像が表示され、・・・、画素５１ｉｊ−ｕ９によって第ｋ＋９映像が表示される映像信号を生成する。そして、その生成した映像信号を映像表示部４に供給する。これにより、画素５１ｉｊ−ｕ１によって第ｋ＋１映像が表示され、画素５１ｉｊ−ｕ２によって第ｋ＋２映像が表示され、・・・、画素５１ｉｊ−ｕ９によって第ｋ＋９映像が表示され、各視察位置７０ｖで視えるように表示していた映像が、各々、右側に隣接する視察位置７０ｖ−１で視えるように、映像が表示される（映像の表示が切換えられる）。
【００４０】
このように、制御部９による制御のもと、映像処理部３により、インテグラルイメージング方式による映像表示に対応した映像信号を処理して、映像表示部４に映像信号を供給することによって、各視察位置７０ｖで異なる映像が視えるように、映像が表示され、また、各視察位置７０ｖで視えるように表示している映像が別の視察位置７０ｗで視えるように、映像の表示が切換えられる。
【００４１】
制御部９は、映像処理部３に表示の切換えの指令を与えることにより、視察位置７０ｖで視えるように表示している映像８０ｖを別の視察位置７０ｗで視えるように、映像の表示を切換える。すなわち、制御部９は、映像処理部３に、各視察位置７０ｖで視えるように表示していた映像を、各々、左側に隣接する視察位置７０ｖ＋１で視えるように、映像の表示を切換える指令を与えることにより、各視察位置７０ｖで視えるように表示している映像を、各々、左側に隣接する視察位置７０ｖ＋１で視えるように、映像の表示を切換える。また、制御部９は、映像処理部３に、各視察位置７０ｖで視えるように表示していた映像を、各々、右側に隣接する視察位置７０ｖ−１で視えるように、映像の表示を切換える指令を与えることにより、各視察位置７０ｖで視えるように表示している映像を、各々、右側に隣接する視察位置７０ｖ−１で視えるように、映像の表示を切換える。
【００４２】
制御部９は、ユーザによるリモコン７の操作に基いて、映像処理部３に表示の切換えの指令を与える。すなわち、制御部９は、ユーザによるリモコン７の操作に基いて、映像の表示を切換える。制御部９によって、表示切換手段が構成されている。
【００４３】
図３は、上記テレビジョン受像機１の映像の表示の切換え動作のフローチャートを示す。ユーザによりリモコン７の左カーソルキーが押下操作されると（＃１でＹＥＳ）、制御部９は、各視察位置７０ｖで視えるように表示している映像を、各々、右側に隣接する視察位置７０ｖ−１で視えるように、映像の表示を切換える（＃２）。また、ユーザによりリモコン７の右カーソルキーが押下操作されると（＃３でＹＥＳ）、制御部９は、各視察位置７０ｖで視えるように表示している映像を、各々、左側に隣接する視察位置７０ｖ＋１で視えるように、映像の表示を切換える（＃４）。
【００４４】
＃２及び＃４の後、制御部９は、上記＃１以降の処理を繰り返す。従って、ユーザによりリモコン７の左カーソルキーが押下操作される都度、制御部９は、各視察位置７０ｖで視えるように表示している映像を、各々、右側に隣接する視察位置７０ｖ−１で視えるように、映像の表示を切換える。また、ユーザによりリモコン７の右カーソルキーが押下操作される都度、制御部９は、各視察位置７０ｖで視えるように表示している映像を、各々、左側に隣接する視察位置７０ｖ＋１で視えるように、映像の表示を切換える。
【００４５】
図４（ａ）（ｂ）（ｃ）は、テレビジョン受像機１により表示（映像表示部４により表示）される映像の表示例を示す。いま、例えば、図４（ａ）に示す静止映像８０ａを視察位置７０４で視えるように表示し、図４（ｂ）に示す静止映像８０ｂを視察位置７０５で視えるように表示し、図４（ｃ）に示す静止映像８０ｃを視察位置７０６で視えるように表示しているとする。このような場合、ユーザが視察位置７０５に居ると、ユーザには、図４（ｂ）に示す静止映像８０ｂが視えている。
【００４６】
ここで、ユーザがリモコン７の左カーソルキーを押下操作すると、各視察位置７０ｖで視えるように表示している映像が、各々、右側に隣接する視察位置７０ｖ−１で視えるように、映像の表示が切換えられる。すなわち、図４（ａ）に示す静止映像８０ａが視察位置７０３で視えるようになり、図４（ｂ）に示す静止映像８０ｂが視察位置７０４で視えるようになり、図４（ｃ）に示す静止映像８０ｃが視察位置７０５で視えるようになる。従って、視察位置７０５に居るユーザがリモコン７の左カーソルキーを押下操作すると、ユーザには、それまで視えていた図４（ｂ）に示す静止映像８０ｂに換って、図４（ｃ）に示す静止映像８０ｃが視えることになる。
【００４７】
また、ユーザがリモコン７の右カーソルキーを押下操作すると、各視察位置７０ｖで視えるように表示している映像が、各々、左側に隣接する視察位置７０ｖ＋１で視えるように、映像の表示が切換えられる。すなわち、図４（ａ）に示す静止映像８０ａが視察位置７０５で視えるようになり、図４（ｂ）に示す静止映像８０ｂが視察位置７０６で視えるようになり、図４（ｃ）に示す静止映像８０ｃが視察位置７０７で視えるようになる。従って、視察位置７０５に居るユーザがリモコン７の右カーソルキーを押下操作すると、ユーザには、それまで視えていた図４（ｂ）に示す静止映像８０ｂに換って、図４（ａ）に示す静止映像８０ａが視えることになる。
【００４８】
このような構成のテレビジョン受像機１によれば、ユーザによるリモコン７の操作に基いて、制御部９による制御によって、ある視察位置で視えるように表示されている映像が別の視察位置で視えるように、映像の表示が切換えられる。すなわち、ユーザがリモコン７の左カーソルキーを押下操作すると（押下操作する都度）、制御部９による制御によって、各視察位置で視えるように表示されている映像が、各々、右側に隣接する視察位置で視えるように、映像の表示が切換えられる。また、ユーザがリモコン７の右カーソルキーを押下操作すると（押下操作する都度）、制御部９による制御によって、各視察位置で視えるように表示されている映像が、各々、左側に隣接する視察位置で視えるように、映像の表示が切換えられる。これにより、視察者（ユーザ）は、移動することなく、どの視察位置に居ても、別の視察位置で視えるように表示されている映像を視ることができる。すなわち、視察者の位置に依存せずに、別の視察位置で視えるように表示されている映像を視ることができる。
【００４９】
なお、本発明は、上記実施形態の構成に限られず、種々の変形が可能である。例えば、リモコンの数値キーが押下操作されると、各視察位置で視えるように表示している映像を、押下操作された数値キーの数値に応じて、異なる視察位置で視えるように、映像の表示を切換えるようにしてもよい。また、本発明は、テレビジョン受像機に限られず、光ディスクやメモリカード等の記録媒体から映像信号を読取って、その読取った映像信号による映像を表示する映像表示装置や、パソコンやＢＤプレイヤなどの外部装置から供給される映像信号による映像を表示する映像表示装置にも適用可能である。この場合、映像処理部は、光ディスクやメモリカード等の記録媒体から読取ったインテグラルイメージング方式による映像表示に対応した映像信号、又は、パソコンやＢＤプレイヤなどの外部装置から供給されたインテグラルイメージング方式による映像表示に対応した映像信号を処理して、映像表示部に映像信号を供給すればよい。
【符号の説明】
【００５０】
１    テレビジョン受像機
２    チューナ
３    映像処理部
４    映像表示部
５    音声処理部
６    音声出力部
７    リモコン（操作手段）
８    リモコン受信部
９    制御部（表示切換手段）
４１    液晶パネル
４２    垂直レンチキュラーシート
５０    画素群
５１    画素
６０    光制御素子
【図１】
2012189961.tif 000003
【図２】
2012189961.tif 000004
【図３】
2012189961.tif 000005
【図４】
2012189961.tif 000006